(57)【特許請求の範囲】
【請求項１】
複数の絶縁体層と第１、第２のコイルを積み重ねて構成した積層体と、前記積層体の表面に形成された第１〜第４の外部電極とを備え、前記第１、第２の外部電極と前記第１のコイルの両端部を接続するとともに、前記第３、第４の外部電極と前記第２のコイルの両端部を接続し、前記第１のコイルは少なくとも３つ以上の渦巻き状導体で構成し、かつ前記
第２のコイルは少なくとも３つ以上の渦巻き状導体で構成し、前記第１のコイルを構成する渦巻き状導体と前記第２のコイルを構成する渦巻き状導体とを積層方向に隣接させて設けられたコモンモードフィルタ部を少なくとも３つ形成し、さらに、前記第１のコイルを構成する渦巻き状導体は、前記渦巻き状導体の内側に形成された第１のビア電極および前記渦巻き状導体の外側に形成された第２のビア電極を介して互いに接続し、前記第２のコイルを構成する渦巻き状導体は、前記渦巻き状導体の内側に形成された第３のビア電極および前記渦巻き状導体の外側に形成された第４のビア電極を介して互いに接続し、上面視にて前記第２のビア電極を前記第１の外部電極または第２の外部電極の近傍に位置させ、前記第４のビア電極を前記第３の外部電極または第４の外部電極の近傍に位置させ、かつ前記第２のビア電極と前記第４のビア電極は上面視で前記積層体の対角線上の４隅近傍に形成されたコモンモードノイズフィルタ。
【請求項２】
同じコイルを構成する渦巻き状導体のうち少なくとも２つを積層方向で隣接させた請求項１に記載のコモンモードノイズフィルタ。
【請求項３】
同じコイルを構成する積層方向で隣接させた２つの渦巻き状導体間の距離を、異なるコイルを構成する積層方向で隣接した２つの渦巻き状導体間の距離より短くした請求項２に記載のコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関するものである。
【背景技術】
【０００２】
従来のこの種のコモンモードノイズフィルタは、図７に示すように、積層された複数の絶縁体層１ａ〜１ｇに形成された第１のコイル２と第２のコイル３とを有し、第１のコイル２は第１、第２の渦巻き状導体４ａ、４ｂを接続して構成され、第２のコイル３は第３、第４の渦巻き状導体５ａ、５ｂを接続して構成され、さらに、第１のコイル２を構成する渦巻き状導体４ａ、４ｂと第２のコイル３を構成する渦巻き状導体５ａ、５ｂを交互に配置した構成となっていた。また、第１のコイル２の両端部２ａ、２ｂ、第２のコイル３の両端部３ａ、３ｂはそれぞれコモンモードノイズフィルタの両端部に形成された外部電極（図示せず）に接続されていた。そして、最下面に設けられた絶縁層１ａと最上面に設けられた絶縁層１ｇは磁性材料で構成され、他の絶縁層１ｂ〜１ｆは非磁性材料で構成されていた。
【０００３】
さらに、第１の渦巻き状導体４ａと第３の渦巻き状導体５ａとを磁気結合させて第１のコモンモードフィルタ部６を構成し、かつ第２の渦巻き状導体４ｂと第４の渦巻き状導体５ｂとを磁気結合させて第２のコモンモードフィルタ部７を構成して、コモンモードノイズを除去するようにしていた。
【０００４】
なお、この出願の発明に関する先行技術文献情報としては、例えば、特許文献１が知られている。
【先行技術文献】
【特許文献】
【０００５】
【特許文献１】特開２００２−３７３８１０号公報
【発明の概要】
【発明が解決しようとする課題】
【０００６】
上記した従来のコモンモードノイズフィルタにおいては、小型化しようとすると、第１〜第４の渦巻き状導体４ａ、４ｂ、５ａ、５ｂの１層あたりの巻き数を多くすることができないため、渦巻き状導体の積層数を増やしてコモンモードインピーダンスが低下しないようにする必要がある。
【０００７】
このとき、本来外部電極に接続されていた第１のコイル２、第２のコイル３の両端部２ａ、２ｂ、３ａ、３ｂの近傍にさらにビア電極を形成し、そしてこの部分を当該ビア電極を介して他の渦巻き状導体に接続させる必要があるため、このビア電極が第１〜第４の渦巻き状導体４ａ、４ｂ、５ａ、５ｂの外側に形成されることになるが、小型化のために前記渦巻き状導体４ａ、４ｂ、５ａ、５ｂの外側に形成されたこのビア電極と外部電極との十分な絶縁距離が確保できず、これにより、前記ビア電極を湿気が浸入しやすい製品表層に近い位置に配置されることになるため、外部電極と前記ビア電極の間に電圧負荷がかかった際に絶縁信頼性が劣化するおそれがあるという課題を有していた。また、積層数を増やすため、製品の低背化が難しくなるという課題を有していた。
【０００８】
本発明は上記従来の課題を解決するもので、小型化されても外部電極とビア電極との間の絶縁信頼性を確保でき低背化できるコモンモードノイズフィルタを提供することを目的とするものである。
【課題を解決するための手段】
【０００９】
上記目的を達成するために本発明は、以下の構成を有するものである。
【００１０】
本発明の請求項１に記載の発明は、複数の絶縁体層と第１、第２のコイルを積み重ねて構成した積層体と、前記積層体の表面に形成された第１〜第４の外部電極とを備え、前記第１、第２の外部電極と前記第１のコイルの両端部を接続するとともに、前記第３、第４の外部電極と前記第２のコイルの両端部を接続し、前記第１のコイルは少なくとも３つ以上の渦巻き状導体で構成し、かつ前記第２のコイルは少なくとも３つ以上の渦巻き状導体で構成し、前記第１のコイルを構成する渦巻き状導体と前記第２のコイルを構成する渦巻き状導体とを積層方向に隣接させて設けられたコモンモードフィルタ部を少なくとも３つ形成し、さらに、前記第１のコイルを構成する渦巻き状導体は、前記渦巻き状導体の内側に形成された第１のビア電極および前記渦巻き状導体の外側に形成された第２のビア電極を介して互いに接続し、前記第２のコイルを構成する渦巻き状導体は、前記渦巻き状導体の内側に形成された第３のビア電極および前記渦巻き状導体の外側に形成された第４のビア電極を介して互いに接続し、上面視にて前記第２のビア電極を前記第１の外部電極または第２の外部電極の近傍に位置させ、前記第４のビア電極を前記第３の外部電極または第４の外部電極の近傍に位置させ、かつ前記第２のビア電極と前記第４のビア電極は上面視で前記積層体の対角線上の４隅近傍に形成されたもので、この構成によれば、第１の外部電極または第２の外部電極とその近傍に位置する第２のビア電極とは同電位であり、かつ第３の外部電極または第４の外部電極とその近傍に位置する第４のビア電極とは同電位であるため、小型化しても、第１、第２の外部電極と第２のビア電極との間、第３、第４の外部電極と第４のビア電極との間で絶縁性が劣化するのを防止できるという作用効果を有するものである。
【００１１】
本発明の請求項２に記載の発明は、特に、同じコイルを構成する渦巻き状導体のうち少なくとも２つを積層方向で隣接させたもので、この構成によれば、第１のコイルを構成する渦巻き状導体間、または第２のコイルを構成する渦巻き状導体間で発生する浮遊容量を大幅に減らすことができるため、コモンモードフィルタの特性インピーダンスが低下するのを防ぐことができるという作用効果を有するものである。
【００１２】
本発明の請求項３に記載の発明は、特に、同じコイルを構成する積層方向で隣接させた２つの渦巻き状導体間の距離を、異なるコイルを構成する積層方向で隣接した２つの渦巻き状導体間の距離より短くしたもので、この構成によれば、同一コイルを構成する渦巻き状導体同士は同電位であるため、積層方向で同じコイルを構成する隣接する２つの渦巻き状導体間を薄くすることができるため、低背化が可能となり、さらに、互いの距離を短くしても当該渦巻き状導体間で絶縁劣化することはないという作用効果を有するものである。
【発明の効果】
【００１３】
以上のように本発明のコモンモードノイズフィルタは、第１のコイルを構成する渦巻き状導体は、前記渦巻き状導体の内側に形成された第１のビア電極および前記渦巻き状導体の外側に形成された第２のビア電極を介して互いに接続し、第２のコイルを構成する渦巻き状導体は、前記渦巻き状導体の内側に形成された第３のビア電極および前記渦巻き状導体の外側に形成された第４のビア電極を介して互いに接続し、前記第２のビア電極を前記第１の外部電極または第２の外部電極の近傍に位置させ、前記第４のビア電極を前記第３の外部電極または第４の外部電極の近傍に位置させているため、第１の外部電極または第２の外部電極とその近傍に位置する第２のビア電極とは同電位であり、かつ第３の外部電極または第４の外部電極とその近傍に位置する第４のビア電極とは同電位であり、これにより、小型化しても、第１、第２の外部電極と第２のビア電極との間、第３、第４の外部電極と第４のビア電極との間で絶縁性が劣化するのを防止できるという優れた効果を奏するものである。
【図面の簡単な説明】
【００１４】
【図１】本発明の実施の形態１におけるコモンモードノイズフィルタの分解斜視図
【図２】同コモンモードノイズフィルタの斜視図
【図３】同コモンモードノイズフィルタの内部接続模式図
【図４】同コモンモードノイズフィルタの主要部の上面透過図
【図５】本発明の実施の形態２におけるコモンモードノイズフィルタの分解斜視図
【図６】同コモンモードノイズフィルタの内部接続模式図
【図７】従来のコモンモードノイズフィルタの分解斜視図
【発明を実施するための形態】
【００１５】
（実施の形態１）
以下、実施の形態１を用いて、本発明の特に請求項１に記載の発明について説明する。
【００１６】
図１は本発明の実施の形態１におけるコモンモードノイズフィルタの分解斜視図、図２は同コモンモードノイズフィルタの斜視図である。
【００１７】
本発明の実施の形態１におけるコモンモードノイズフィルタは、図１、図２に示すように、第１〜第８の絶縁体層１１ａ〜１１ｈと、第１のコイル１２、第２のコイル１３を積み重ねて構成した積層体１４と、積層体１４の表面に形成された第１〜第４の外部電極１５〜１８とを備え、第１、第２の外部電極１５、１６と第１のコイル１２の両端部１２ａ、１２ｂを接続するとともに、第３、第４の外部電極１７、１８と第２のコイル１３の両端部１３ａ、１３ｂを接続し、第１のコイル１２は第１〜第４の渦巻き状導体１９〜２２で構成し、かつ第２のコイル１３は第５〜第８の渦巻き状導体２３〜２６で構成している。
【００１８】
さらに、第１のコイル１２を構成する第１〜第４の渦巻き状導体１９〜２２は、第１〜第４の渦巻き状導体１９〜２２の内側に形成された第１のビア電極２７およびその外側に形成された第２のビア電極２８を介して互いに接続し、第２のコイル１３を構成する第５〜第８の渦巻き状導体２３〜２６は、第５〜第８の渦巻き状導体２３〜２６の内側に形成された第３のビア電極２９およびその外側に形成された第４のビア電極３０を介して互いに接続している。
【００１９】
そして、上面視にて第２のビア電極２８を第１の外部電極１５の近傍に位置させ、第４のビア電極３０を第４の外部電極１８の近傍に位置させている。
【００２０】
上記構成において、第１〜第８の絶縁体層１１ａ〜１１ｈは、下から順に積層され、また、Ｃｕ−Ｚｎフェライト、ガラスセラミック等の非磁性材料によりシート状に構成されている。
【００２１】
さらに、前記第１のコイル１２は、第１〜第４の渦巻き状導体１９〜２２で構成されている。また、この第１〜第４の渦巻き状導体１９〜２２は、それぞれ銀等の導電材料を渦巻状にめっきまたは印刷することにより形成され、さらに、第１の渦巻き状導体１９は第１の絶縁体層１１ａの上面、第２の渦巻き状導体２０は第３の絶縁体層１１ｃの上面、第３の渦巻き状導体２１は第５の絶縁体層１１ｅの上面、第４の渦巻き状導体２２は第７の絶縁体層１１ｇの上面にそれぞれ形成されている。
【００２２】
そして、これらの第１〜第４の渦巻き状導体１９〜２２を第１のビア電極２７、第２のビア電極２８で直列に接続することによって独立した第１のコイル１２が形成され、また、第１の渦巻き状導体１９の第１の絶縁体層１１ａから露出した部分が第１のコイル１２の一端部１２ａとなり、第４の渦巻き状導体２２の第７の絶縁体層１１ｇから露出した部分が第１のコイル１２の他端部１２ｂとなる。
【００２３】
そしてまた、前記第２のコイル１３は、第５〜第８の渦巻き状導体２３〜２６で構成されている。また、この第５〜第８の渦巻き状導体２３〜２６は、それぞれ銀等の導電材料を渦巻状にめっきまたは印刷することにより形成され、さらに、第５の渦巻き状導体２３は第２の絶縁体層１１ｂの上面、第６の渦巻き状導体２４は第４の絶縁体層１１ｄの上面、第７の渦巻き状導体２５は第６の絶縁体層１１ｆの上面、第８の渦巻き状導体２６は第８の絶縁体層１１ｈの上面にそれぞれ形成されている。
【００２４】
すなわち、第１のコイル１２を構成する渦巻き状導体と第２のコイル１３を構成する渦巻き状導体が交互に積層されている。
【００２５】
また、第５〜第８の渦巻き状導体２３〜２６を第３のビア電極２９、第４のビア電極３０で直列に接続することによって独立した第２のコイル１３が形成され、さらに、第５の渦巻き状導体２３の第２の絶縁体層１１ｂから露出した部分が第２のコイル１３の一端部１３ａとなり、第８の渦巻き状導体２６の第８の絶縁体層１１ｈから露出した部分が第２のコイル１３の他端部１３ｂとなる。
【００２６】
そして、図３に示すように、第１の渦巻き状導体１９と第５の渦巻き状導体２３とが１つのコモンモードフィルタ部となり、第２の渦巻き状導体２０と第６の渦巻き状導体２４とが１つのコモンモードフィルタ部となり、第３の渦巻き状導体２１と第７の渦巻き状導体２５とが１つのコモンモードフィルタ部となり、第４の渦巻き状導体２２と第８の渦巻き状導体２６とが１つのコモンモードフィルタ部となっている。すなわち、４つのコモンモードフィルタが積層方向に直列に接続された構成となっている。このとき、上面視にて各渦巻き状導体の一部を略同じ位置に配置し、巻き方向も同一方向としている。
【００２７】
なお、第８の渦巻き状導体２６の上面には他の非磁性体層（図示せず）が形成され、さらに、この他の非磁性体層の上面と第１の絶縁体層１１ａの下面には、Ｎｉ−Ｃｕ−Ｚｎフェライト等の磁性材料で形成された磁性体層（図示せず）が構成されている。
【００２８】
上記したように構成することによって、積層体１４が形成される。
【００２９】
そして、この積層体１４の積層方向の稜線を含む部分、すなわち上面視にて積層体１４の表面の４隅に、第１〜第４の外部電極１５〜１８を形成し、第１、第２の外部電極１５、１６と第１のコイル１２の両端部１２ａ、１２ｂを接続するとともに、第３、第４の外部電極１７、１８と第２のコイル１３の両端部１３ａ、１３ｂを接続する。なお、前記第１〜第４の外部電極１５〜１８は、積層体１４に銀を印刷することにより形成され、またこれらの表面にめっきによってニッケルめっき層を形成するとともに、このニッケルめっき層の表面にめっきによってすずやはんだ等の低融点金属めっき層を形成する。さらに、第１〜第４の外部電極１５〜１８は積層体１４の４隅ではなく、積層体１４の両端面のみ、両側面のみに形成してもよい。
【００３０】
前記第１のビア電極２７は、上面視にて第２の絶縁体層１１ｂ、第３の絶縁体層１１ｃ、第６の絶縁体層１１ｆ、第７の絶縁体層１１ｇにおける第１〜第４の渦巻き状導体１９〜２２の内側（最も内側にある導体よりも内側）に形成されている。そして、第１のビア電極２７によって第１の渦巻き状導体１９と第２の渦巻き状導体２０とを接続し、第３の渦巻き状導体２１と第４の渦巻き状導体２１とを接続する。
【００３１】
前記第２のビア電極２８は、上面視にて第４の絶縁体層１１ｄ、第５の絶縁体層１１ｅにおける第１〜第４の渦巻き状導体１９〜２２の外側（最も外側にある導体よりも外側）で、第１の外部電極１５の近傍に形成されている。そして、第２のビア電極２８によって第２の渦巻き状導体２０と第３の渦巻き状導体２１とを接続する。
【００３２】
前記第３のビア電極２９は、上面視にて第３の絶縁体層１１ｃ、第４の絶縁体層１１ｄ、第７の絶縁体層１１ｇ、第８の絶縁体層１１ｈにおける第５〜第８の渦巻き状導体２３〜２６の内側に形成されている。そして、第３のビア電極２９によって、第５の渦巻き状導体２３と第６の渦巻き状導体２４とを接続し、第７の渦巻き状導体２５と第８の渦巻き状導体２６とを接続する。
【００３３】
前記第４のビア電極３０は、上面視にて第５の絶縁体層１１ｅ、第６の絶縁体層１１ｆにおける第５〜第８の渦巻き状導体２３〜２６の外側で、第４の外部電極１８の近傍に形成されている。そして、第４のビア電極３０によって第６の渦巻き状導体２４と第７の渦巻き状導体２５とを接続する。
【００３４】
また、第１〜第４のビア電極２７〜３０は、各絶縁体層の所定の箇所に、レーザで孔あけ加工をし、この孔に銀を充填して形成する。
【００３５】
ここで、図４に、積層体１４を上方から見たときの第１〜第４のビア電極２７〜３０と第１〜第４の外部電極１５〜１８の位置関係を示す。また、第８の渦巻き状導体２６の位置もあわせて図示する。
【００３６】
なお、第２のビア電極２８は、第１の外部電極１５の近傍ではなく、第２の外部電極１６の近傍に形成してもよい。また、第４のビア電極３０は、第４の外部電極１８の近傍ではなく、第３の外部電極１７の近傍に形成してもよい。そして、第１〜第８の絶縁体層１１ａ〜１１ｈの枚数は、図１に示された枚数に限られるものではない。
【００３７】
上記したように本発明の実施の形態１におけるコモンモードノイズフィルタにおいては、第１のコイル１２を構成する渦巻き状導体１９〜２２は、前記渦巻き状導体１９〜２２の内側に形成された第１のビア電極２７および前記渦巻き状導体１９〜２２の外側に形成された第２のビア電極２８を介して互いに接続し、第２のコイル１３を構成する渦巻き状導体２３〜２６は、前記渦巻き状導体２３〜２６の内側に形成された第３のビア電極２９および前記渦巻き状導体２３〜２６の外側に形成された第４のビア電極３０を介して互いに接続し、第２のビア電極２８を第１の外部電極１５または第２の外部電極１６の近傍に位置させ、第４のビア電極３０を第３の外部電極１７または第４の外部電極１８の近傍に位置させているため、第１の外部電極１５とその近傍に位置する第２のビア電極２８とは同電位であり、かつ第４の外部電極１８とその近傍に位置する第４のビア電極３０とは同電位であり、これにより、小型化して外部電極１５〜１８とビア電極２８、３０との十分な距離が確保できない場合でも、第１、第２の外部電極１５、１６と第２のビア電極２８との間、第３、第４の外部電極１７、１８と第４のビア電極３０との間で絶縁性が劣化するのを防止できるという効果が得られるものである。
【００３８】
すなわち、第１、第２の外部電極１５、１６、第２のビア電極２８はともに第１のコイル１２に接続されているため、両者の電位は略等しく、これにより、小型化によって第２のビア電極２８と第１の外部電極１５、第２の外部電極１６とが接近しても、両者の間の絶縁性を確保することができる。また、第３、第４の外部電極１７、１８、第４のビア電極３０についても同様である。そして、この結果、ビア電極２８、３０を湿気が浸入しやすい製品表層に近い位置に配置されることになっても、外部電極１５〜１８とビア電極２８、３０の間に電圧負荷がかかった際、絶縁信頼性が劣化することを防ぐことができる。
【００３９】
（実施の形態２）
以下、実施の形態２を用いて、本発明の特に請求項２、３に記載の発明について説明する。
【００４０】
図５は本発明の実施の形態２におけるコモンモードノイズフィルタの分解斜視図である。なお、この本発明の実施の形態２においては、上記した本発明の実施の形態１と同様の構成を有するものについては、同一符号を付しており、その説明は省略する。
【００４１】
本発明の実施の形態２が上記した本発明の実施の形態１と相違する点は、図５に示すように、第２の渦巻き状導体２０と第６の渦巻き状導体２４とを入れ替え、第４の渦巻き状導体２２と第８の渦巻き状導体２６とを入れ替えて、第１のコイル１２を構成する第１〜第４の渦巻き状導体１９〜２２のうち、第２の渦巻き状導体２０と第３の渦巻き状導体２１を積層方向で隣接させ、第２のコイル１３を構成する第５〜第８の渦巻き状導体２３〜２６のうち、第５の渦巻き状導体２３と第６の渦巻き状導体２４、第７の渦巻き状導体２５と第８の渦巻き状導体２６を積層方向で隣接させた点である。
【００４２】
ここで、図６に本発明の実施の形態２における内部接続模式図を示す。
【００４３】
図６から明らかなように、本発明の実施の形態２では、異なるコイルを構成する積層方向で隣接した２つの渦巻き状導体、すなわち、第１の渦巻き状導体１９と第５の渦巻き状導体２３とで１つのコモンモードフィルタ部、第２の渦巻き状導体２０と第６の渦巻き状導体２４とが１つのコモンモードフィルタ部、第３の渦巻き状導体２１と第７の渦巻き状導体２５とが１つのコモンモードフィルタ部、第４の渦巻き状導体２２と第８の渦巻き状導体２６とが１つのコモンモードフィルタ部が形成される。また、ともに第１のコイル１２を構成する第２の渦巻き状導体２０と第３の渦巻き状導体２１、ともに第２のコイル１３を構成する第５の渦巻き状導体２３と第６の渦巻き状導体２４、ともに第２のコイル１３を構成する第７の渦巻き状導体２５と第８の渦巻き状導体２６が積層方向で隣接している。
【００４４】
この構成によって、積層方向で隣接し、第１のコイル１２を構成する第２の渦巻き状導体２０と第３の渦巻き状導体２１間、第２のコイル１３を構成する第５の渦巻き状導体２３と第６の渦巻き状導体２４間、第２のコイル１３を構成する第７の渦巻き状導体２５と第８の渦巻き状導体２６間を略等電位化することができるため、第１のコイル１２を構成する渦巻き状導体間、第２のコイル１３を構成する渦巻き状導体間で発生する浮遊容量を大幅に減らすことができ、これにより、第１のコイル１２と第２のコイル１３で形成される差動信号線路間の特性インピーダンスが低下するのを防ぎ、差動信号の劣化を防止することができる。
【００４５】
なお、上記した構成では、同じコイルを構成する渦巻き状導体のうち積層方向で隣接するものを３対としているが、１対であってもよい。
【００４６】
さらに、同じコイルを構成し積層方向で隣接させた２つの渦巻き状導体間、すなわち、第２の渦巻き状導体２０と第３の渦巻き状導体２１間、第５の渦巻き状導体２３と第６の渦巻き状導体２４間、第７の渦巻き状導体２５と第８の渦巻き状導体２６間の距離、つまり第３、第５、第７の絶縁体層１１ｃ、１１ｅ、１１ｇの厚みを、異なるコイルを構成し積層方向で隣接した２つの渦巻き状導体間、すなわち、第１の渦巻き状導体１９と第５の渦巻き状導体２３との間、第２の渦巻き状導体２０と第６の渦巻き状導体２４との間、第３の渦巻き状導体２１と第７の渦巻き状導体２５との間、第４の渦巻き状導体２２と第８の渦巻き状導体２６との間の距離、つまり第２、第４、第６、第８の絶縁体層１１ｂ、１１ｄ、１１ｆ、１１ｈの厚みより薄くした場合でも、上述したように同一コイルし積層方向で隣接配置された渦巻き状導体同士は同電位であるため、当該渦巻き状導体間で絶縁劣化することはなく、また前記のように浮遊容量の影響も少ないため、製品の低背化が可能となる。
【００４７】
なお、同一コイルを構成し積層方向で隣接配置された渦巻き状導体間の絶縁体層の層数を、異なるコイルを構成し積層方向で隣接した２つの渦巻き状導体間の絶縁体層の層数より減らすようにしてもよい。
【００４８】
また、上記した本発明の実施の形態１、２においては、第１のコイル１２、第２のコイル１３を構成する渦巻き状導体を４つとしたが、それぞれ３つ以上であれば異なる数であってもよい。
【産業上の利用可能性】
【００４９】
本発明に係るコモンモードノイズフィルタは、小型化されても外部電極と内部導体接続用のビア電極との間の絶縁信頼性を確保できるという効果を有するものであり、特にデジタル機器やＡＶ機器、情報通信端末等の各種電子機器のノイズ対策として使用されるコモンモードノイズフィルタ等において有用となるものである。
【符号の説明】
【００５０】
１１ａ〜１１ｈ  第１〜第８の絶縁体層
１２  第１のコイル
１２ａ、１２ｂ  第１のコイルの両端部
１３  第２のコイル
１３ａ、１３ｂ  第２のコイルの両端部
１４  積層体
１５〜１８  第１〜第４の外部電極
１９〜２６  第１〜第８の渦巻き状導体
２７〜３０  第１〜第４のビア電極
【図１】
0006007399.tif 000002
【図２】
0006007399.tif 000003
【図３】
0006007399.tif 000004
【図４】
0006007399.tif 000005
【図５】
0006007399.tif 000006
【図６】
0006007399.tif 000007
【図７】
0006007399.tif 000008